(57)【要約】【課題】洗い場床の排水トラップからの排水の溢れを抑制しつつ、排水完了までの時間を短くした排水栓装置を提供する。【解決手段】浴槽の排水口部に取り付けられる排水栓装置であって、前記排水口部に取り付けられる栓蓋と、上端に前記栓蓋が取り付けられ、前記浴槽に対して上下動可能な支持軸と、前記栓蓋が前記排水口部を塞ぐ下降状態と、前記栓蓋が前記排水口部から上方に離間して前記排水口部を開放する上昇状態と、に前記支持軸を切り替える操作部と、前記上昇状態において、下方に作用する荷重が前記支持軸に加えられた場合に、前記荷重に対抗する弾性力を前記支持軸に付与する弾性部と、を備え、前記弾性部は、前記上昇状態と前記下降状態との間の中間状態から前記下降状態までの弾性率が、前記上昇状態から前記中間状態までの弾性率よりも大きいことを特徴とする排水栓装置である。【選択図】図２
2018048489.tif 000002
【特許請求の範囲】
【請求項１】
浴槽の排水口部に取り付けられる排水栓装置であって、
前記排水口部に取り付けられる栓蓋と、
上端に前記栓蓋が取り付けられ、前記浴槽に対して上下動可能な支持軸と、
前記栓蓋が前記排水口部を塞ぐ下降状態と、前記栓蓋が前記排水口部から上方に離間して前記排水口部を開放する上昇状態と、に前記支持軸を切り替える操作部と、
前記上昇状態において、下方に作用する荷重が前記支持軸に加えられた場合に、前記荷重に対抗する弾性力を前記支持軸に付与する弾性部と、
を備え、
前記弾性部は、前記上昇状態と前記下降状態との間の中間状態から前記下降状態までの弾性率が、前記上昇状態から前記中間状態までの弾性率よりも大きいことを特徴とする排水栓装置。
【請求項２】
前記弾性部は、前記浴槽内の水のヘッド圧に応じて、前記栓蓋の前記排水口部からの上昇量を前記上昇状態と前記中間状態との間で変化させるとともに、前記栓蓋及び前記支持軸が、前記ヘッド圧によって前記中間状態よりも下方に下がることを抑制することを特徴とする請求項１記載の排水栓装置。
【請求項３】
前記弾性部は、第１弾性率を有する第１弾性部材と、前記第１弾性率よりも小さい第２弾性率を有する第２弾性部材と、を有することを特徴とする請求項１又は２に記載の排水栓装置。
【請求項４】
前記第１弾性部材及び前記第２弾性部材は、バネであることを特徴とする請求項３記載の排水栓装置。
【請求項５】
前記支持軸は、中空状であり、
前記第１弾性部材及び前記第２弾性部材は、上下方向に重ねて前記支持軸の内部に設けられることを特徴とする請求項３又は４に記載の排水栓装置。
【請求項６】
前記第２弾性部材は、前記第１弾性部材と別体で構成され、
前記第２弾性部材の形状は、前記第１弾性部材の形状と異なることを特徴とする請求項３〜５のいずれか１つに記載の排水栓装置。
【請求項７】
前記弾性部は、前記上昇状態にある前記支持軸に対して上方に向かう弾性力を付与することを特徴とする請求項１〜６のいずれか１つに記載の排水栓装置。
【発明の詳細な説明】
【技術分野】
【０００１】
本発明の態様は、一般的に、排水栓装置に関する。
【背景技術】
【０００２】
栓蓋をリフトアップさせることで、浴槽の排水を行う排水栓装置が知られている（例えば、特許文献１）。こうした排水栓装置では、排水速度（単位時間当たりの排水量）を高めるために、栓蓋のリフトアップ量を比較的大きく設定している。
【０００３】
しかし、リフトアップ量を大きくすると、浴槽内の水位が高い状態で排水を行う際に、浴槽内の水の高いヘッド圧によって、浴槽内の水が勢いよく排水され、その排水が洗い場床の排水トラップから洗い場側に溢れ出してしまう恐れがあった。
【０００４】
一方、リフトアップ量を小さくすると、水位が低く、浴槽内の水のヘッド圧が低い時に、排水速度が低下してしまい、排水完了までの時間が長くなってしまう。
【先行技術文献】
【特許文献】
【０００５】
【特許文献１】特開２０１３−２５３４１９号公報
【発明の概要】
【発明が解決しようとする課題】
【０００６】
本発明は、かかる課題の認識に基づいてなされたものであり、洗い場床の排水トラップからの排水の溢れを抑制しつつ、排水完了までの時間を短くした排水栓装置を提供することを目的とする。
【課題を解決するための手段】
【０００７】
第１の発明は、浴槽の排水口部に取り付けられる排水栓装置であって、前記排水口部に取り付けられる栓蓋と、上端に前記栓蓋が取り付けられ、前記浴槽に対して上下動可能な支持軸と、前記栓蓋が前記排水口部を塞ぐ下降状態と、前記栓蓋が前記排水口部から上方に離間して前記排水口部を開放する上昇状態と、に前記支持軸を切り替える操作部と、前記上昇状態において、下方に作用する荷重が前記支持軸に加えられた場合に、前記荷重に対抗する弾性力を前記支持軸に付与する弾性部と、を備え、前記弾性部は、前記上昇状態と前記下降状態との間の中間状態から前記下降状態までの弾性率が、前記上昇状態から前記中間状態までの弾性率よりも大きいことを特徴とする排水栓装置である。
【０００８】
この排水栓装置によれば、浴槽内の水位が高く、浴槽内の水によって栓蓋に下方に作用する荷重が大きい時には、排水口部からの栓蓋の上昇量を小さく抑えることができる。これにより、排水口部の周縁部と栓蓋との間の流路断面を小さく抑えることができ、浴槽内の水位が高い場合にも、洗い場床の排水トラップからの排水の溢れを抑制することができる。
【０００９】
一方、浴槽内の水位が低く、浴槽内の水によって栓蓋に下方に作用する荷重が小さい時には、水位が高い時に比べ、排水口部からの栓蓋の上昇量を大きくすることができる。これにより、排水口部の周縁部と栓蓋との間の流路断面を大きくすることができ、浴槽内の水位が低い場合に、排水速度が大きく低下してしまうことを抑制することができる。従って、洗い場床の排水トラップからの排水の溢れを抑制しつつ、排水完了までの時間を短くすることが可能となる。
【００１０】
また、例えば、上昇状態において、入浴者や清掃者によって栓蓋が踏まれ、栓蓋に急激に比較的大きな荷重が加わったとしても、弾性部が、中間状態から下降状態までの弾性率を、上昇状態から中間状態までの弾性率よりも大きくすることにより、栓蓋の急激な下降を抑制することができ、栓蓋などの破損も抑制することができる。
【００１１】
第２の発明は、第１の発明において、前記弾性部は、前記浴槽内の水のヘッド圧に応じて、前記栓蓋の前記排水口部からの上昇量を前記上昇状態と前記中間状態との間で変化させるとともに、前記栓蓋及び前記支持軸が、前記ヘッド圧によって前記中間状態よりも下方に下がることを抑制することを特徴とする排水栓装置である。
【００１２】
この排水栓装置によれば、浴槽内の水位が高い時には、排水口部からの栓蓋の上昇量を小さく抑え、洗い場床の排水トラップからの排水の溢れを抑制することができる。そして、浴槽内の水位が低い時には、水位が高い時に比べて、排水口部からの栓蓋の上昇量を大きくし、排水速度が大きく低下してしまうことを抑制することができる。従って、洗い場床の排水トラップからの排水の溢れを抑制しつつ、排水完了までの時間を短くすることが可能となる。また、栓蓋の急激な下降を抑制し、栓蓋などの破損も抑制することができる。
【００１３】
第３の発明は、第１又は第２の発明において、前記弾性部は、第１弾性率を有する第１弾性部材と、前記第１弾性率よりも小さい第２弾性率を有する第２弾性部材と、を有することを特徴とする排水栓装置である。
【００１４】
この排水栓装置によれば、浴槽内の水位が高い時には、第２弾性部材を弾性変形させることにより、排水口部からの栓蓋の上昇量を小さく抑えることができる。そして、入浴者や清掃者によって栓蓋が踏まれるなど、栓蓋に急激に比較的大きな荷重が加わった時には、第１弾性部材を弾性変形させることにより、栓蓋の急激な下降を抑制し、栓蓋などの破損をより確実に抑制することができる。
【００１５】
第４の発明は、第３の発明において、前記第１弾性部材及び前記第２弾性部材は、バネであることを特徴とする排水栓装置である。
【００１６】
この排水栓装置によれば、弾性部を簡単な構造で実現することができる。
【００１７】
第５の発明は、第３又は第４の発明において、前記支持軸は、中空状であり、前記第１弾性部材及び前記第２弾性部材は、上下方向に重ねて前記支持軸の内部に設けられることを特徴とする排水栓装置である。
【００１８】
この排水栓装置によれば、第１弾性部材及び第２弾性部材を支持軸の内部に設けることにより、汚れが付着すると掃除し難い箇所に設けられる第１弾性部材及び第２弾性部材が、排水などで汚れてしまうことを抑制することができる。さらに、上下方向に重ねて配置することにより、支持軸が太くなってしまうことを抑制でき、支持軸が排水の妨げとなることを抑制することができる。
【００１９】
第６の発明は、第３〜第５の発明のいずれか１つにおいて、前記第２弾性部材は、前記第１弾性部材と別体で構成され、前記第２弾性部材の形状は、前記第１弾性部材の形状と異なることを特徴とする排水栓装置である。
【００２０】
この排水栓装置によれば、第１弾性部材と第２弾性部材とを別体で構成することにより、弾性部をより簡単な構造で実現することができる。また、第１弾性部材と第２弾性部材とで弾性部を構成する場合に、取り付け間違いなどが発生してしまうことを抑制することができる。すなわち、弾性部において、２つの弾性部材の両方を第１弾性部材又は第２弾性部材としてしまうことを抑制することができる。
【００２１】
第７の発明は、第１〜第６のいずれか１つの発明において、前記弾性部は、前記上昇状態にある前記支持軸に対して上方に向かう弾性力を付与することを特徴とする排水栓装置である。
【００２２】
この排水栓装置によれば、低水位排水時でも、弾性部によって栓蓋が上方にほどほどの力で付勢されている状態を維持できる。従って、排水時、栓蓋の上面近傍まで水位が低下した状態において、栓蓋に上から作用する水の荷重と、栓蓋の下から作用する流水の圧力とのバランスで栓蓋が上下に振動してしまうことを抑制でき、支持軸等の破損や断続的な空気吸い込み音の発生を抑制することができる。
【発明の効果】
【００２３】
本発明の態様によれば、洗い場床の排水トラップからの排水の溢れを抑制しつつ、排水完了までの時間を短くした排水栓装置が提供される。
【図面の簡単な説明】
【００２４】
【図１】実施形態に係る排水栓装置を表す断面図である。
【図２】実施形態に係る排水栓部を拡大して表す断面図である。
【図３】実施形態に係る配管及び排水口部材を表す断面図である。
【図４】実施形態に係る配管を表す斜視断面図である。
【図５】実施形態に係る支持機構及びアタッチメント部材を表す斜視図である。
【図６】実施形態に係る保持部を表す斜視図である。
【図７】実施形態に係る支持機構を表す断面図である。
【図８】実施形態に係る支持機構の一部を表す分解斜視図である。
【図９】図９（ａ）及び図９（ｂ）は、実施形態に係る排水栓部を表す断面図である。
【図１０】図１０（ａ）及び図１０（ｂ）は、実施形態に係る排水栓部を表す断面図である。
【図１１】実施形態に係る排水栓部を表す断面図である。
【図１２】第１コイルバネ及び第２コイルバネの特性の一例を表すグラフ図である。
【図１３】弾性部の特性の一例を表すグラフ図である。
【図１４】実施形態に係る支持機構の変形例を表す断面図である。
【発明を実施するための形態】
【００２５】
以下、実施形態について図面を参照しつつ説明する。なお、各図面中、同様の構成要素には同一の符号を付して詳細な説明は適宜省略する。  
図１は、実施形態に係る排水栓装置を表す断面図である。  
図１に表したように、排水栓装置１０は、排水栓部１２と、操作部１４と、レリースワイヤ１６と、を備える。
【００２６】
排水栓部１２は、浴槽１００に設けられた排水口部１０２に取り付けられるとともに、排水口部１０２の下方に配置された配管２００に接続される。配管２００は、例えば、洗い場床２４０に設けられた排水トラップ２４２（図１０参照）を介して排水管に接続される。
【００２７】
排水口部１０２は、例えば、浴槽１００の底部に設けられ、浴槽１００の底部から下方に凹んだ部分である。排水口部１０２は、排水口１０２ａ（開口）を有する。排水口１０２ａは、例えば、排水口部１０２の底部に設けられる。排水口部１０２は、浴槽１００に溜められた水を排水口１０２ａを介して外部に排出可能とする。操作部１４は、浴槽１００のリム面１０４に設けられた貫通孔１０６に取り付けられる。操作部１４は、使用者の操作を受ける。レリースワイヤ１６は、操作部１４の操作にともなう操作力を排水栓部１２に伝達する。
【００２８】
排水栓部１２は、操作部１４及びレリースワイヤ１６を介して入力された操作力に応じて排水口部１０２（排水口１０２ａ）を開閉する。すなわち、排水栓部１２は、使用者による操作部１４の操作に応じて排水口部１０２を開閉する。
【００２９】
排水栓部１２で排水口部１０２を閉塞することにより、浴槽１００内に水を溜めることができる。そして、操作部１４を操作し、排水口部１０２を開放することにより、浴槽１００に溜められた水を浴槽１００の外部に排出することができる。例えば、排水口部１０２を開放することにより、浴槽１００に溜められた水が、排水口部１０２、配管２００、及び排水トラップ２４２を介して排水管などに排出される。排水栓装置１０は、いわゆる遠隔操作式の排水栓装置である。
【００３０】
操作部１４は、筒状のケース１４ａと、ケース１４ａ内において第１位置と第２位置とに移動する可動部１４ｂと、可動部１４ｂを第１位置又は第２位置に保持するラッチ機構１４ｃと、を有する。第１位置は、例えば、図１に表した位置である。第２位置は、例えば、第１位置よりもケース１４ａ内に押し込められた位置である。
【００３１】
ラッチ機構１４ｃは、可動部１４ｂを第１位置に保持した状態において、使用者の押圧操作により、可動部１４ｂが第１位置から第２位置に移動した際に、可動部１４ｂを第２位置に保持する。そして、ラッチ機構１４ｃは、可動部１４ｂを第２位置に保持した状態において、可動部１４ｂが再び押圧操作された際に、第２位置における可動部１４ｂの保持を解除し、可動部１４ｂを第２位置から第１位置に復帰させ、可動部１４ｂを再び第１位置に保持する。排水栓部１２は、可動部１４ｂが第１位置にある時に、排水口部１０２を閉塞し、可動部１４ｂが第２位置にある時に、排水口部１０２を開放する。
【００３２】
この例において、操作部１４は、使用者の押圧操作を受ける押しボタン方式の操作部である。操作部１４は、これに限ることなく、例えば、回転操作を受ける回転ハンドル方式の操作部やスライド操作を受けるスライドレバー方式の操作部などでもよい。操作部１４は、使用者の任意の操作を受けることができる任意の構成でよい。
【００３３】
レリースワイヤ１６は、排水栓部１２と操作部１４とを接続するホース１８内に挿通されている。レリースワイヤ１６は、例えば、アウターチューブ１６ａと、アウターチューブ１６ａに挿通されたインナーワイヤ１６ｂと、を有する（図２参照）。インナーワイヤ１６ｂの一端は、操作部１４の可動部１４ｂに接続されている。インナーワイヤ１６ｂの他端は、排水栓部１２に接続されている。レリースワイヤ１６は、操作部１４の操作に応じてインナーワイヤ１６ｂを進退させることにより、操作力を排水栓部１２に伝達する。操作部１４から排水栓部１２に操作力を伝達する伝達機構は、レリースワイヤ１６に限ることなく、操作力を伝達可能な任意の機構でよい。
【００３４】
図２は、実施形態に係る排水栓部を拡大して表す断面図である。  
図２に表したように、排水栓部１２は、栓蓋２０と、排水口部材２２と、支持機構２４と、アタッチメント部材２６と、を有する。栓蓋２０は、浴槽１００の排水口部１０２に上方（浴槽内側）から取り付けられ、上方から排水口部１０２を塞ぐ。栓蓋２０は、例えば、排水口部１０２の周縁部１０２ｂに接することで、排水口部１０２を塞ぐ。
【００３５】
栓蓋２０は、例えば、パッキン２１を有する。パッキン２１は、栓蓋２０の外縁に環状に設けられる。パッキン２１には、例えば、ゴムなどの弾性材料が用いられる。栓蓋２０は、パッキン２１を排水口部１０２の周縁部１０２ｂに接触させることにより、排水口部１０２を塞ぐ。これにより、排水口部１０２をより確実に塞ぐことができる。栓蓋２０は、排水口部１０２の周縁部１０２ｂに直接的に接してもよいし、パッキン２１などを介して間接的に接してもよい。また、排水口部１０２を塞ぐ位置（接する位置）は、周縁部１０２ｂに限ることなく、例えば、排水口１０２ａの内縁部や排水口部材２２の上端部などでもよい。
【００３６】
排水口部１０２を上方から見た形状は、略円形である。排水口１０２ａは、例えば、略円形の貫通孔状である。栓蓋２０は、排水口部１０２及び排水口１０２ａの形状に対応した断面略円形の栓である。排水口部１０２の断面形状は、円形に限ることなく、例えば楕円形や多角形などの任意の形状でよい。栓蓋２０の形状は、上方から排水口部１０２を閉塞可能な任意の形状でよい。
【００３７】
排水口部材２２は、排水口部１０２の排水口１０２ａ及び配管２００に挿通され、浴槽１００に配管２００を接続する。支持機構２４は、栓蓋２０を上下動可能に支持する。アタッチメント部材２６は、配管２００内に取り付けられ、支持機構２４を保持する。支持機構２４は、アタッチメント部材２６を介して配管２００内に取り付けられる。
【００３８】
支持機構２４は、ケース３０と、支持軸３２と、を有する。ケース３０は、筒状である。ケース３０は、軸を上下方向に向けた状態で配管２００内に取り付けられる。支持軸３２は、ケース３０内に挿通され、ケース３０の軸方向に沿って移動可能にケース３０に保持される。支持軸３２は、ケース３０が配管２００内に保持された状態において、上下方向に移動する。
【００３９】
支持軸３２の上端３２ａは、ケース３０の上端よりも上方に突出する。栓蓋２０は、支持軸３２の上端３２ａに取り付けられる。支持機構２４は、支持軸３２の上端３２ａにおいて栓蓋２０を支持する。このように、支持軸３２は、上端３２ａに栓蓋２０が取り付けられ、浴槽１００に対して上下動可能に設けられる。
【００４０】
一方、支持軸３２の下端側は、ケース３０内においてレリースワイヤ１６に接続される。配管２００は、貫通孔２０２を有する。貫通孔２０２は、配管２００において排水栓部１２よりも下方に設けられる。レリースワイヤ１６は、貫通孔２０２を介して配管２００内に挿通され、支持機構２４と接続される。また、貫通孔２０２は、例えば、ホース１８などによって塞がれる。これにより、貫通孔２０２からの水漏れが抑制される。
【００４１】
操作部１４の可動部１４ｂが第１位置にある場合、支持軸３２は、図２に表したように、栓蓋２０が排水口部１０２を塞いだ位置に保持される。操作部１４の可動部１４ｂが第１位置から第２位置に移動すると、レリースワイヤ１６のインナーワイヤ１６ｂが、可動部１４ｂの移動量に応じて排水栓部１２側に送り込まれる。従って、可動部１４ｂが第２位置に移動すると、支持機構２４の支持軸３２が、図２に表した状態よりもケース３０から突出する。これにより、操作部１４の可動部１４ｂが第２位置にある場合には、栓蓋２０が、支持軸３２の移動にともなって上方に移動し、排水口部１０２を開放させる。
【００４２】
このように、支持機構２４は、操作部１４の操作に応じて支持軸３２を移動させることにより、栓蓋２０が排水口部１０２を塞ぐ下降状態（図２に表した状態）と、栓蓋２０が排水口部１０２から上方に離間して排水口部１０２を開放する上昇状態と、に支持軸３２切り替える。換言すれば、操作部１４は、下降状態と上昇状態とに支持軸３２を切り替える。
【００４３】
図３は、実施形態に係る配管及び排水口部材を表す断面図である。  
図４は、実施形態に係る配管を表す斜視断面図である。  
図３及び図４に表したように、配管２００は、浴槽１００と接続された状態において、排水口部１０２から下方に向かって延びる第１管部２１１と、第１管部２１１と直交する方向に延びる第２管部２１２と、を有する。すなわち、この例において、配管２００は、略Ｌ字状に屈曲した管である。配管２００は、Ｌ字状に限ることなく、少なくとも排水口部１０２から下方に向かって延びる部分を有する任意の形状でよい。
【００４４】
第１管部２１１の開口端２１１ａの形状は、排水口１０２ａの形状と実質的に同じである。第１管部２１１及び第２管部２１２は、例えば、断面略円形の管である。第１管部２１１の内周面には、雌ねじ部２１４が設けられている。雌ねじ部２１４は、開口端２１１ａに隣接して設けられる。第１管部２１１において、雌ねじ部２１４の設けられた部分の内周面の断面形状は、略円形である。配管２００の雌ねじ部２１４以外の部分の内周面の断面形状は、必ずしも円形でなくてもよい。配管２００の雌ねじ部２１４以外の部分の内周面の断面形状は、例えば、楕円形状や多角形状などでもよい。
【００４５】
第１管部２１１は、載置部２２０と、第１収納空間２２１と、第２収納空間２２２と、を有する。載置部２２０は、配管２００内に設けられ、配管２００の内方に突出する。載置部２２０には、アタッチメント部材２６の一部が載置される。アタッチメント部材２６は、載置部２２０の上に載置されることにより、配管２００内に取り付けられる。換言すれば、載置部２２０は、配管２００内におけるアタッチメント部材２６の下方への移動を規制する。アタッチメント部材２６は、載置部２２０に直接的に接して載置されてもよいし、他の部材などを介して間接的に接して載置されてもよい。
【００４６】
この例において、載置部２２０は、第１管部２１１の開口端２１１ａよりも内径を小さくした部分である。載置部２２０は、配管２００内において段差状に形成されている。この例において、載置部２２０は、配管２００の内周に沿う環状の面（載置面）である。載置部２２０の形状は、上記に限ることなく、例えば、突起状に形成してもよい。例えば、複数の突起状の載置部を配管２００の軸周りに所定の間隔で設けてもよい。載置部２２０の形状は、アタッチメント部材２６の一部を載置可能な任意の形状でよい。
【００４７】
第１収納空間２２１は、載置部２２０の上方に配置される。第１収納空間２２１は、載置部２２０に隣接する。第１収納空間２２１は、アタッチメント部材２６の一部を収納する。第２収納空間２２２は、第１収納空間２２１の上方に配置される。第２収納空間２２２は、排水口部材２２を収納する。第２収納空間２２２は、第１収納空間２２１に隣接するとともに、第１管部２１１の開口端２１１ａに隣接する。雌ねじ部２１４は、第２収納空間２２２を形成する配管２００の内周面に設けられる。
【００４８】
排水口部材２２は、略円筒状の筒部２２ａと、筒部２２ａの上端に設けられたフランジ部２２ｂと、を有する。フランジ部２２ｂは、筒部２２ａの上端から外方に向かって延びる。筒部２２ａの外径は、排水口１０２ａの開口径及び第１管部２１１の内径と実質的に同じである。一方、フランジ部２２ｂの外径は、排水口１０２ａの開口径及び第１管部２１１の内径よりも大きい。
【００４９】
また、筒部２２ａの外周面には、雄ねじ部２２ｃが設けられている。雄ねじ部２２ｃは、配管２００の雌ねじ部２１４に対応して形成され、雌ねじ部２１４に螺合する（噛み合う）。これにより、排水口部材２２の筒部２２ａが、配管２００の第２収納空間２２２に収納される。
【００５０】
排水口部材２２は、筒部２２ａを上方から排水口１０２ａ及び配管２００に挿通し、配管２００の雌ねじ部２１４に雄ねじ部２２ｃを螺合させ、フランジ部２２ｂと配管２００との間で浴槽１００を挟み込む（図２参照）。これにより、排水口部材２２は、浴槽１００に配管２００を接続する。排水口部材２２は、例えば、締付フランジと呼ばれる場合もある。
【００５１】
図５は、実施形態に係る支持機構及びアタッチメント部材を表す斜視図である。  
図５に表したように、アタッチメント部材２６は、保持部５０と、支持部６０と、を有する。保持部５０は、支持機構２４を保持する。この例において、保持部５０は、支持機構２４を直接的に保持している。保持部５０は、例えば、他の部材などを介して間接的に支持機構２４を保持してもよい。
【００５２】
支持部６０は、配管２００内において排水口部材２２よりも下方に取り付けられ、保持部５０を支持する（図２参照）。支持部６０は、載置部２２０に載置されることにより、配管２００内に取り付けられる。支持部６０は、載置部２２０の上に載置されることにより、配管２００内におけるアタッチメント部材２６の下方への移動を規制する。また、支持部６０は、排水口部材２２により下方に押付けられることにより、上方への移動を規制する。また、支持部６０は、例えば、係合爪６２（図２参照）を配管２００の第１管部２１１と第２管部２１２との屈曲部に係合させることにより、配管２００内におけるアタッチメント部材２６の水平方向における回転を抑制する。すなわち、支持部６０は、アタッチメント部材２６を配管２００内の所定の位置に位置決めする。支持部６０の構造は、上記に限ることなく、アタッチメント部材２６を配管２００内の所定の位置に位置決めすることができる任意の構造でよい。
【００５３】
このように、アタッチメント部材２６は、支持部６０において載置部２２０の上に載置される。配管２００の第１収納空間２２１は、アタッチメント部材２６の支持部６０を収納する。アタッチメント部材２６は、支持部６０を介して配管２００内に取り付けられることにより、支持機構２４及び保持部５０を配管２００内の所定の位置に配置する。
【００５４】
図６は、実施形態に係る保持部を表す斜視図である。  
図５及び図６に表したように、保持部５０は、支持機構２４を収納する筒部５２と、筒部５２を支持部６０に接続するための複数の脚部５４と、を有する。
【００５５】
筒部５２は、筒体の両端面を開放させるとともに、筒体の側面を両端面に亘って切り欠いた側方開口部５２ａを有する。保持部５０は、弾性を有する。保持部５０には、例えば、ポリプロピレンなどの樹脂材料が用いられる。これにより、保持部５０では、側方開口部５２ａを広げるように一時的に筒部５２を変形させることができる。
【００５６】
筒部５２の下端には、側方開口部５２ａを挟んで対向するように配置された一対のリブ５２ｂが設けられている。各リブ５２ｂは、筒部５２の内方に向かって突出する。支持機構２４のケース３０には、溝３０ａが設けられている。溝３０ａは、ケース３０の下端付近に設けられ、ケース３０の側面から内方に向かって凹んだ凹形状に形成されている。溝３０ａの形状は、各リブ５２ｂの形状に対応している。
【００５７】
支持機構２４を保持部５０に保持させる場合には、支持機構２４を側方開口部５２ａに対して水平方向に押し当て、筒部５２を弾性変形させることにより、側方開口部５２ａを押し広げる。そして、広がった側方開口部５２ａから筒部５２内に支持機構２４を挿入する。この際、各リブ５２ｂを溝３０ａに嵌め込む。これにより、支持機構２４が筒部５２内に挿入されるとともに、各リブ５２ｂと溝３０ａとの係合により、支持機構２４の上下動が規制される。換言すれば、各リブ５２ｂと溝３０ａとの係合により、筒部５２の軸方向の両端からの支持機構２４の抜けが抑制される。これにより、支持機構２４が、保持部５０に保持される。
【００５８】
各脚部５４は、筒部５２の下端付近から外方向かって延びるとともに、下方に向かって延びる。各脚部５４の下端は、筒部５２の下端よりも下方に位置する。また、各脚部５４の下端には、外方に向かって延びる係合爪５４ａが設けられている。
【００５９】
各脚部５４は、例えば、筒部５２の軸周りに等間隔に配置される。この例において、保持部５０は、３つの脚部５４を有する。３つの脚部５４は、筒部５２の軸周りに１２０°おきに配置される。脚部５４の数は、３つに限ることなく、２つでもよいし、４つ以上でもよい。
【００６０】
支持部６０は、筒状である。この例において、支持部６０は、配管２００の第１管部２１１の内周面に沿う円筒状である。支持部６０の内周面には、保持部５０の各脚部５４の係合爪５４ａと係合する複数の係合溝が設けられている。この例において、支持部６０は、３つの脚部５４のそれぞれの係合爪５４ａに対応する３つの係合溝を有する。支持部６０は、各係合爪５４ａと各係合溝との係合により、図５に表したように、保持部５０を支持する。
【００６１】
排水栓装置１０の排水栓部１２を浴槽１００及び配管２００に取り付ける際には、まず、配管２００を浴室内の所定の位置に設置する。支持機構２４は、予めレリースワイヤ１６の一端に接続しておく。そして、支持機構２４及びレリースワイヤ１６の一端を、貫通孔２０２を介して配管２００内に挿通する。支持機構２４を挿通した後、支持軸３２を開口端２１１ａから露出させる。
【００６２】
支持機構２４を配管２００内に配置した後、アタッチメント部材２６の支持部６０のみを配管２００内に挿通する。支持部６０は、載置部２２０に載置されるまで、配管２００内に挿通する。換言すれば、支持部６０は、載置部２２０に当接するまで、配管２００内に挿通する。そして、係合爪６２を配管２００の屈曲部に係合させることにより、支持部６０を配管２００内に取り付ける。そして、筒状の支持部６０に支持機構２４を挿通する。
【００６３】
続いて、前述のように、側方開口部５２ａから筒部５２内に挿入することにより、支持機構２４をアタッチメント部材２６の保持部５０に保持させる。この後、保持部５０の各脚部５４の係合爪５４ａを、支持部６０の各係合溝に係合させることにより、支持部６０に保持部５０を支持させる。これにより、支持機構２４が、配管２００内の所定の位置に取り付けられる。
【００６４】
支持機構２４を配管２００に取り付けた後、開口端２１１ａと排水口部１０２との位置を合わせて、配管２００の上に浴槽１００を設置する。この場合、支持機構２４は、排水口１０２ａを介して上方に露出された状態となる。
【００６５】
浴槽１００を設置した後、排水口部材２２を上方から排水口１０２ａ及び配管２００に挿通する。そして、配管２００の雌ねじ部２１４に排水口部材２２の雄ねじ部２２ｃを螺合させ、フランジ部２２ｂと配管２００との間で浴槽１００を挟み込むことにより、排水口部材２２を介して浴槽１００と配管２００とを接続する。また、支持部６０を排水口部材２２と載置部２２０とで挟み込むことにより、支持部６０が上方向へ移動しないようにする。
【００６６】
この後、支持機構２４の支持軸３２の上端３２ａに、栓蓋２０を取り付ける。以上により、排水栓装置１０の排水栓部１２の取り付けが完了する。なお、操作部１４は、排水栓部１２の取り付けの前に、予め浴槽１００のリム面１０４に取り付けておいてもよいし、排水栓部１２の取り付けを行った後に、浴槽１００のリム面１０４に取り付けてもよい。
【００６７】
図７は、実施形態に係る支持機構を表す断面図である。  
図８は、実施形態に係る支持機構の一部を表す分解斜視図である。  
図７及び図８に表したように、支持機構２４は、底板部３４と、内筒３６と、戻しバネ３８と、弾性部４０と、をさらに有する。
【００６８】
支持軸３２は、下方を開口させた中空状である。換言すれば、支持軸３２は、上端３２ａ側を閉塞させた円筒状である。レリースワイヤ１６のアウターチューブ１６ａは、ケース３０の下端部に保持される。レリースワイヤ１６のインナーワイヤ１６ｂは、ケース３０の下端部に設けられた開口からケース３０内に侵入するとともに、支持軸３２の下端に設けられた開口から支持軸３２内に侵入する。
【００６９】
底板部３４は、支持軸３２の下端を塞ぐ。底板部３４は、例えば、下端側を閉塞させた円筒状である。底板部３４の内径は、支持軸３２の外径と実質的に同じである。底板部３４は、レリースワイヤ１６のインナーワイヤ１６ｂを挿通するための開口を有する。底板部３４は、例えば、内周面に形成された雌螺子を、支持軸３２の外周面に形成された雄螺子に噛み合わせることで、支持軸３２の下端に取り付けられる。これにより、底板部３４は、インナーワイヤ１６ｂが挿通された状態で、支持軸３２の下端を塞ぐ。
【００７０】
内筒３６は、支持軸３２の内部に上下方向に移動可能に設けられている。内筒３６は、レリースワイヤ１６のインナーワイヤ１６ｂの先端に被せられる。また、内筒３６は、インナーワイヤ１６ｂが抜けないように、インナーワイヤ１６ｂの先端に取り付けられる。これにより、内筒３６は、インナーワイヤ１６ｂの進退にともなって上下方向に移動する。内筒３６の下端には、外側に向かって突出したフランジ部３６ａが設けられている。フランジ部３６ａの外径は、例えば、支持軸３２の下端付近の内径と実質的に同じである。
【００７１】
戻しバネ３８は、ケース３０と支持軸３２との間に設けられている。戻しバネ３８は、例えば、コイルバネである。戻しバネ３８は、ケース３０と底板部３４とに挟まれ、支持軸３２及び底板部３４に対して下方に向かう弾性力を付与する。換言すれば、戻しバネ３８は、支持軸３２及び底板部３４を下方に付勢する。
【００７２】
弾性部４０は、支持軸３２内に設けられる。弾性部４０は、例えば、支持軸３２と内筒３６との間に設けられる。弾性部４０は、支持軸３２と内筒３６のフランジ部３６ａとに挟まれ、上昇状態にある支持軸３２に対して上方に向かう弾性力を付与する。換言すれば、弾性部４０は、上昇状態にある支持軸３２を上方に付勢する。これにより、弾性部４０は、上昇状態において、下方に作用する荷重が栓蓋２０及び支持軸３２に加えられた場合に、荷重に対抗する弾性力を支持軸３２に付与する。
【００７３】
弾性部４０は、第１コイルバネ４１（第１弾性部材）と、第２コイルバネ４２（第２弾性部材）と、を有する。第１コイルバネ４１は、第１弾性率を有する。第２コイルバネ４２は、第１弾性率よりも小さい第２弾性率を有する。換言すれば、第２コイルバネ４２のバネ定数は、第１コイルバネ４１のバネ定数よりも小さい。第２コイルバネ４２は、第１コイルバネ４１と別体で構成されている。
【００７４】
第２コイルバネ４２の直径は、第１コイルバネ４１の直径と実質的に同じである。第２コイルバネ４２は、第１コイルバネ４１と上下方向に重ねて支持軸３２内に設けられる。これにより、例えば、弾性部４０を第１コイルバネ４１と第２コイルバネ４２との２つのバネで構成する場合にも、支持軸３２が太くなってしまうことを抑制することができる。なお、第１コイルバネ４１及び第２コイルバネ４２は、上下方向に直接接して重ねてもよいし、間隔を空けて重ねてもよい。第１コイルバネ４１及び第２コイルバネ４２は、例えば、スペーサなどの他の部材を介して上下方向に重ねてもよい。
【００７５】
第１コイルバネ４１及び第２コイルバネ４２は、支持軸３２と内筒３６のフランジ部３６ａとに挟まれ、予め縮められた状態で支持軸３２内に収容される。これにより、第１コイルバネ４１及び第２コイルバネ４２は、上昇状態にある支持軸３２に対して上方に向かう弾性力を付与する。支持軸３２は、各コイルバネ４１、４２の弾性力で上方に付勢された状態で保持される。従って、支持軸３２は、栓蓋２０及び支持軸３２に対して下方に作用する力が僅かに加わった程度では下降しない。各コイルバネ４１、４２は、例えば、栓蓋２０の自重では縮まない。
【００７６】
この例では、第１コイルバネ４１が、第２コイルバネ４２の上に設けられている。これとは反対に、第２コイルバネ４２を第１コイルバネ４１の上に設けてもよい。
【００７７】
また、第２コイルバネ４２の形状は、第１コイルバネ４１の形状と異なる。この例では、第２コイルバネ４２の長さが、第１コイルバネ４１の長さよりも短い。これにより、例えば、弾性部４０を第１コイルバネ４１と第２コイルバネ４２との２つのバネで構成する場合にも、各コイルバネ４１、４２の取り付け間違いを抑制することができる。上記とは反対に、第１コイルバネ４１の長さを、第２コイルバネ４２の長さよりも短くしてもよい。例えば、第２コイルバネ４２の太さ（直径）を、第１コイルバネ４１の太さと異ならせてもよい。各コイルバネ４１、４２の形状の違いは、長さや太さに限ることなく、各コイルバネ４１、４２を容易に区別することが可能な任意の違いでよい。
【００７８】
図９（ａ）及び図９（ｂ）は、実施形態に係る排水栓部を表す断面図である。  
図９（ａ）は、上昇状態にある栓蓋２０及び支持軸３２を表している。  
図９（ｂ）は、上昇状態と下降状態との間の中間状態にある栓蓋２０及び支持軸３２を表している。
【００７９】
支持軸３２が下降状態にある状態で、操作部１４を操作し、可動部１４ｂを第１位置から第２位置に移動させると、レリースワイヤ１６のインナーワイヤ１６ｂが、可動部１４ｂの移動量に応じて排水栓部１２側に進出する。インナーワイヤ１６ｂを排水栓部１２側に進出させると、インナーワイヤ１６ｂの駆動力が、内筒３６及び弾性部４０を介して支持軸３２に伝達される。これにより、図９（ａ）に表したように、支持軸３２及び栓蓋２０が上昇して、支持軸３２が上昇状態に切り替わり、排水口部１０２が開放される。
【００８０】
前述のように、支持軸３２は、各コイルバネ４１、４２の弾性力によって上方に付勢されている。従って、栓蓋２０及び支持軸３２が上昇状態にある場合の各コイルバネ４１、４２の縮み量（弾性変形量）は、栓蓋２０及び支持軸３２が下降状態にある場合の各コイルバネ４１、４２の縮み量と実質的に同じである。
【００８１】
栓蓋２０の排水口部１０２からの上昇量は、支持軸３２が上昇状態にある時に最大となる。支持軸３２が上昇状態にある時の栓蓋２０の排水口部１０２からの第１上昇量ＲＡ１は、例えば、９ｍｍ（７ｍｍ以上１４ｍｍ以下）である。これにより、例えば、栓蓋２０の過度の上昇を抑制しつつ、ヘッド圧が低い状態における排水速度の低下を抑制することができる。
【００８２】
支持軸３２が上昇状態に切り替わると、ケース３０と底板部３４とに挟まれた戻しバネ３８が押し縮められる。支持軸３２を上昇状態から下降状態に切り替えると、戻しバネ３８が、支持軸３２及び底板部３４を下方に付勢する。これにより、支持軸３２をより確実に下降させることができる。排水口部１０２を栓蓋２０によって、より確実に塞ぐことができる。
【００８３】
第２コイルバネ４２は、浴槽１００内の水のヘッド圧に応じて弾性変形する。一方、第１コイルバネ４１は、浴槽１００内の水のヘッド圧では、実質的に弾性変形しない。第１コイルバネ４１の浴槽１００内の水のヘッド圧による縮み量は、例えば、満水時において１ｍｍ以下である。
【００８４】
弾性部４０は、ヘッド圧が低い時に、栓蓋２０及び支持軸３２を上昇状態にする。弾性部４０は、少なくとも浴槽１００が空の状態の時に、栓蓋２０及び支持軸３２を上昇状態にする。
【００８５】
弾性部４０は、ヘッド圧が高い時に、第２コイルバネ４２を弾性変形させることにより、図９（ｂ）に表したように、栓蓋２０及び支持軸３２を上昇状態と下降状態との間の中間状態にする。中間状態は、例えば、浴槽１００内の水のヘッド圧により、第２コイルバネ４２が最も縮んだ状態（縮みきった状態）である。
【００８６】
弾性部４０は、少なくとも浴槽１００が満水の時に、栓蓋２０及び支持軸３２を中間状態にする。中間状態における栓蓋２０及び支持軸３２の上下方向の位置は、上昇状態と下降状態との間の任意の位置でよい。支持軸３２が中間状態にある時の栓蓋２０の排水口部１０２からの第２上昇量ＲＡ２は、例えば、４ｍｍ（２ｍｍ以上６ｍｍ以下）である。これにより、例えば、ヘッド圧が高い状態において、排水速度の上昇を抑え、排水の洗い場側への溢れを抑制することができる。
【００８７】
図１０（ａ）及び図１０（ｂ）は、実施形態に係る排水栓部を表す断面図である。  
図１０（ａ）に表したように、弾性部４０は、浴槽１００内の水位が満水の時に、支持軸３２を中間状態にし、栓蓋２０の排水口部１０２からの上昇量を第２上昇量ＲＡ２にする。
【００８８】
弾性部４０は、浴槽１００内の水が排水され、浴槽１００内の水位が下がってヘッド圧が低下すると、そのヘッド圧に応じて栓蓋２０及び支持軸３２を上昇させる。そして、図１０（ｂ）に表したように、弾性部４０は、例えば、浴槽１００内の水位が満水時の半分の水位の時に、支持軸３２を上昇状態にし、栓蓋２０の排水口部１０２からの上昇量を第１上昇量ＲＡ１にする。すなわち、弾性部４０は、浴槽１００内の水位が半分以下の時に、支持軸３２を上昇状態にする。
【００８９】
このように、弾性部４０は、浴槽１００内の水のヘッド圧に応じて、第２コイルバネ４２を弾性変形させることにより、栓蓋２０及び支持軸３２の排水口部１０２からの上昇量を上昇状態と中間状態との間で変化させる。そして、弾性部４０は、第１コイルバネ４１の第１弾性率により、栓蓋２０及び支持軸３２が、ヘッド圧によって中間状態よりも下方に下がることを抑制する。
【００９０】
なお、支持軸３２が上昇状態となる水位は、半分の水位に限ることなく、満水の水位と空の水位との間の任意の水位でよい。例えば、浴槽１００内の水が空になった時に、支持軸３２が上昇状態となるようにしてもよい。但し、上記のように、浴槽１００内の水が空になる前に、支持軸３２を上昇状態とする。これにより、例えば、排水速度の低下をより確実に抑制することができる。
【００９１】
図１１は、実施形態に係る排水栓部を表す断面図である。  
図１１は、上昇状態にある栓蓋２０及び支持軸３２に上方から荷重を加えることにより、インナーワイヤ１６ｂが排水栓部１２側に進出した状態で、栓蓋２０及び支持軸３２が下降状態に戻された場合を表している。
【００９２】
排水栓装置１０では、例えば、入浴者や浴槽１００の清掃者などが、上昇状態にある栓蓋２０及び支持軸３２を踏み、上昇状態にある栓蓋２０及び支持軸３２に上方から大きな荷重が加わってしまう場合がある。この場合、排水栓装置１０の排水栓部１２では、図１１に表したように、弾性部４０の第１コイルバネ４１及び第２コイルバネ４２が弾性変形して縮み、栓蓋２０及び支持軸３２に加わる衝撃を緩衝する。これにより、栓蓋２０及び支持軸３２などの破損を抑制することができる。
【００９３】
また、インナーワイヤ１６ｂの先端及び内筒３６の上端は、インナーワイヤ１６ｂが排水栓部１２側に進出した状態で、栓蓋２０及び支持軸３２が下降状態に戻された場合でも、栓蓋２０及び支持軸３２に接触しない。従って、栓蓋２０及び支持軸３２が荷重によって意図せず下降状態に戻された場合でも、インナーワイヤ１６ｂの先端に過大な力が加わることを抑制することができる。上昇状態にある栓蓋２０及び支持軸３２が踏まれた場合などにおいても、インナーワイヤ１６ｂの破損を抑制することができる。
【００９４】
このように、弾性部４０は、上昇状態にある栓蓋２０及び支持軸３２に対して下方に作用する荷重が加えられた場合に、上昇状態と中間状態との間においては、第２コイルバネ４２を弾性変形させ、中間状態と下降状態との間においては、第１コイルバネ４１を弾性変形させる。すなわち、弾性部４０においては、中間状態から下降状態までの弾性率（第１コイルバネ４１の第１弾性率）が、上昇状態から中間状態までの弾性率（第２コイルバネ４２の第２弾性率）よりも大きい。
【００９５】
第１弾性率は、踏み付けなどの比較的大きな荷重に対抗し得る任意の弾性率でよい。踏み付けによる荷重は、例えば、２５ｋｇｆ程度（２０ｋｇｆ以上３０ｋｇｆ以下）である。第２弾性率は、ヘッド圧に応じて栓蓋２０及び支持軸３２の上昇量を変化させることが可能な任意の弾性率でよい。浴槽１００内の水のヘッド圧は、例えば、満水時の水位を５００ｍｍとした場合、１．８ｋｇｆ程度（１ｋｇｆ以上３ｋｇｆ以下）である。
【００９６】
図１２は、第１コイルバネ及び第２コイルバネの特性の一例を表すグラフ図である。  
図１２は、各コイルバネ４１、４２に対して圧縮する方向に荷重を加えた場合の荷重と縮み量（弾性変形量）との関係性を表す。また、図１２において、特性ＣＴ１１は、第１コイルバネ４１の特性を表し、特性ＣＴ１２は、第２コイルバネ４２の特性を表し、特性ＣＴ１３は、第１コイルバネ４１と第２コイルバネ４２との合計の特性を表す。
【００９７】
図１２の特性ＣＴ１１に表したように、第１コイルバネ４１は、浴槽１００が満水の時に栓蓋２０に加わる荷重（ヘッド圧）よりも大きい荷重まで線形的に縮み量が変化する荷重特性を有する。
【００９８】
一方、図１２の特性ＣＴ１２に表したように、第２コイルバネ４２は、例えば、浴槽１００が満水の時に栓蓋２０に加わる荷重において縮みきり、それより大きい荷重が加わったとしても縮み量が変化しない荷重特性を有する。
【００９９】
従って、第１コイルバネ４１と第２コイルバネ４２とを組み合わせて用いた場合には、満水時のヘッド圧以下の荷重までは、第１コイルバネ４１と第２コイルバネ４２との双方が弾性変形し、満水時のヘッド圧よりも大きい荷重に対しては、第１コイルバネ４１のみが弾性変形する。これにより、図１２の特性ＣＴ１３に表したように、満水時のヘッド圧を境に特性が変化する非線形の荷重特性を得ることができる。弾性部４０は、例えば、満水時のヘッド圧を境に特性が変化する非線形の荷重特性を有する。
【０１００】
なお、第２コイルバネ４２の縮みきる荷重は、必ずしも満水時のヘッド圧と一致していなくてもよい。第２コイルバネ４２の縮みきる荷重は、例えば、排水速度や栓蓋２０の上昇量などを考慮して適宜設定すればよい。
【０１０１】
図１３は、弾性部の特性の一例を表すグラフ図である。  
図１３は、支持軸３２に対して下方に作用する荷重を加えた場合の荷重と弾性部４０の縮み量（弾性変形量）との関係性を表す。前述のように、第１コイルバネ４１及び第２コイルバネ４２は、予め縮められた状態で支持軸３２内に収容され、上昇状態にある支持軸３２に対して上方に向かう弾性力を付与している。このため、第１コイルバネ４１及び第２コイルバネ４２は、ある程度の荷重が加えられるまで、縮み量が実質的に変化しない。
【０１０２】
第１コイルバネ４１及び第２コイルバネ４２は、例えば、浴槽１００の半分の水位のヘッド圧に対応する荷重が加えられるまで、弾性変形を開始しない。これにより、上記のように、浴槽１００内の水位が半分以下の時に、支持軸３２を上昇状態にすることができる。
【０１０３】
このように、排水栓装置１０では、栓蓋２０に小さい荷重しか作用していなくても、予め縮ませている縮み量が維持される。従って、図１３において破線で示すように、縮み量が小さくなっていく訳ではない。これにより低水位排水時でも、弾性部４０によって栓蓋２０が上方にほどほどの力で付勢されている状態を維持できる。従って、排水時、栓蓋２０の上面近傍まで水位が低下した状態において、栓蓋２０に上から作用する水の荷重と、栓蓋２０の下から作用する流水の圧力（栓蓋２０と排水口部１０２との間を流れる水の圧力であり、この圧力はばらつきやすい）とのバランスで栓蓋２０が上下に振動してしまうことを抑制でき、支持軸３２等の破損や断続的な空気吸い込み音の発生を抑制することができる。
【０１０４】
以上、説明したように、本実施形態に係る排水栓装置１０では、浴槽１００内の水位が高く、浴槽１００内の水によって栓蓋２０に下方に作用する荷重が大きい時には、排水口部１０２からの栓蓋２０及び支持軸３２の上昇量を小さく抑えることができる。これにより、排水口部１０２の周縁部１０２ｂと栓蓋２０との間の流路断面を小さく抑えることができ、浴槽１００内の水位が高い場合にも、洗い場床２４０の排水トラップ２４２からの排水の溢れを抑制することができる。
【０１０５】
例えば、排水管の経路を縦方向に落とした場合、流路断面を小さくし、排水速度を抑えることにより、排水管などにおいてサイホン現象が発生し、排水トラップ２４２から吸い込まれた空気によって一時的に排水トラップ２４２内の封水が切れてしまう瞬時破封が生じることを抑制することもできる。例えば、瞬時破封の発生にともなって、断続的な空気吸い込み音が生じてしまうことを抑制することができる。
【０１０６】
一方、浴槽１００内の水位が低く、浴槽１００内の水によって栓蓋２０に下方に作用する荷重が小さい時には、水位が高い時に比べ、排水口部１０２からの栓蓋２０及び支持軸３２の上昇量を大きくすることができる。これにより、排水口部１０２の周縁部１０２ｂと栓蓋２０との間の流路断面を大きくすることができ、浴槽１００内の水位が低い場合に、排水速度が大きく低下してしまうことを抑制することができる。従って、洗い場床２４０の排水トラップ２４２からの排水の溢れを抑制しつつ、排水完了までの時間を短くすることが可能となる。
【０１０７】
また、例えば、上昇状態において、入浴者や清掃者によって栓蓋２０が踏まれ、栓蓋２０に急激に比較的大きな荷重が加わったとしても、弾性部４０が、中間状態から下降状態までの弾性率を、上昇状態から中間状態までの弾性率よりも大きくすることにより、栓蓋２０の急激な下降を抑制することができ、栓蓋２０などの破損も抑制することができる。
【０１０８】
また、排水栓装置１０では、弾性部４０が、浴槽１００内の水のヘッド圧に応じて、栓蓋２０及び支持軸３２の排水口部１０２からの上昇量を上昇状態と中間状態との間で変化させるとともに、栓蓋２０及び支持軸３２が、ヘッド圧によって中間状態よりも下方に下がることを抑制する。これにより、浴槽１００内の水位が高い時には、排水口部１０２からの栓蓋２０の上昇量を小さく抑え、洗い場床２４０の排水トラップ２４２からの排水の溢れを抑制することができる。そして、浴槽１００内の水位が低い時には、水位が高い時に比べて、排水口部１０２からの栓蓋２０の上昇量を大きくし、排水速度が大きく低下してしまうことを抑制することができる。従って、洗い場床２４０の排水トラップ２４２からの排水の溢れを抑制しつつ、排水完了までの時間を短くすることが可能となる。また、栓蓋２０の急激な下降を抑制し、栓蓋２０などの破損も抑制することができる。
【０１０９】
また、排水栓装置１０では、弾性部４０が、第１弾性率を有する第１コイルバネ４１と、第１弾性率よりも小さい第２弾性率を有する第２コイルバネ４２と、を有する。これにより、浴槽１００内の水位が高い時には、第２コイルバネ４２を弾性変形させることにより、排水口部１０２からの栓蓋２０の上昇量を小さく抑えることができる。そして、栓蓋２０に急激に比較的大きな荷重が加わった時には、第１コイルバネ４１を弾性変形させることにより、栓蓋２０の急激な下降を抑制し、栓蓋２０などの破損をより確実に抑制することができる。
【０１１０】
また、第１コイルバネ４１と第２コイルバネ４２とで弾性部４０を構成することにより、弾性部４０を簡単な構造で実現することができる。例えば、支持軸３２や弾性部４０の大型化を抑制することができ、支持軸３２や弾性部４０が排水の妨げとなることを抑制することができる。また、第２コイルバネ４２を第１コイルバネ４１と別体で構成することにより、弾性部４０をより簡単な構造で実現することができる。
【０１１１】
また、排水栓装置１０では、支持軸３２が、中空状であり、第１コイルバネ４１及び第２コイルバネ４２は、上下方向に重ねて支持軸３２の内部に設けられる。これにより、弾性部４０をより簡単な構造で実現することができる。また、第１コイルバネ４１及び第２コイルバネ４２を支持軸３２の内部に設けることにより、汚れが付着すると掃除し難い箇所に設けられる第１コイルバネ４１及び第２コイルバネ４２が、排水などで汚れてしまうことを抑制することができる。さらに、上下方向に重ねて配置することにより、支持軸３２が太くなってしまうことを抑制でき、支持軸３２が排水の妨げとなることを抑制することができる。
【０１１２】
また、排水栓装置１０では、第２コイルバネ４２の形状が、第１コイルバネ４１の形状と異なる。これにより、第１コイルバネ４１と第２コイルバネ４２とで弾性部４０を構成する場合に、取り付け間違いなどが発生してことを抑制することができる。すなわち、弾性部４０において、２つのコイルバネの両方を第１コイルバネ４１又は第２コイルバネ４２としてしまうことを抑制することができる。
【０１１３】
また、排水栓装置１０では、弾性部４０が、上昇状態にある支持軸３２に対して上方に向かう弾性力を付与する。これにより、例えば、低水位排水時でも、弾性部４０によって栓蓋２０が上方にほどほどの力で付勢されている状態を維持できる。従って、排水時、栓蓋２０の上面近傍まで水位が低下した状態において、栓蓋２０に上から作用する水の荷重と、栓蓋２０の下から作用する流水の圧力とのバランスで栓蓋２０が上下に振動してしまうことを抑制でき、支持軸３２等の破損や断続的な空気吸い込み音の発生を抑制することができる。
【０１１４】
図１４は、実施形態に係る支持機構の変形例を表す断面図である。  
図１４に表したように、この例では、弾性部４０が、第１弾性率を有する第１部分４０ａと、第１弾性率よりも小さい第２弾性率を有する第２部分４０ｂと、を有する１つのコイルバネで構成されている。第１部分４０ａの直径は、第２部分４０ｂの直径と実質的に同じである。一方、第１部分４０ａの巻線のピッチは、第２部分４０ｂの巻線のピッチよりも狭い。すなわち、この例において、弾性部４０は、いわゆる不等ピッチコイルバネである。このように、巻線のピッチを変化させた場合にも、図１２において特性ＣＴ１３で表した、満水時のヘッド圧を境に特性が変化する非線形の荷重特性を得ることができる。
【０１１５】
弾性部４０を不等ピッチコイルバネとする場合、巻線のピッチは、段階的に変化させてもよいし、連続的に変化させてもよい。すなわち、弾性部４０の非線形の荷重特性は、図１２の特性ＣＴ１３に表した直線の傾きが変化する特性に限ることなく、例えば、二次曲線的に変化する特性などでもよい。
【０１１６】
このように、非線形の荷重特性を有する弾性部４０は、１つの弾性部材で構成でもよいし、複数の弾性部材で構成してもよい。１つの弾性部材で弾性部４０を構成する場合、弾性部材は、不等ピッチコイルバネに限ることなく、例えば、巻線の径を変化させる、いわゆるテーパコイルバネなどでもよい。弾性部材の構成は、非線形の荷重特性を形成可能な任意の構成でよい。
【０１１７】
但し、踏み付けなどにおいて栓蓋２０に加わる荷重は、浴槽１００内の水のヘッド圧に比べてかなり大きい。従って、上記実施形態で表したように、弾性部４０を第１コイルバネ４１及び第２コイルバネ４２などの複数の弾性部材で構成する。これにより、例えば、踏み付けなどに対応する荷重特性と、浴槽１００内の水のヘッド圧に対応する荷重特性と、を形成し易くすることができる。また、弾性部４０は、コイルバネに限ることなく、例えば、ゴムなどの弾性体で構成してもよい。
【０１１８】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、排水栓装置１０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１１９】
１０ 排水栓装置、  １２ 排水栓部、  １４ 操作部、  １６ レリースワイヤ、  １８ ホース、  ２０ 栓蓋、  ２１ パッキン、  ２２ 排水口部材、  ２４ 支持機構、  ２６ アタッチメント部材、  ３０ ケース、  ３２ 支持軸、  ３４ 底板部、  ３６ 内筒、  ３８ 戻しバネ、  ４０ 弾性部、  ４１第１コイルバネ（第１弾性部材）、  ４２第２コイルバネ（第２弾性部材）、  ５０ 保持部、  ６０ 支持部、  ５２ 筒部、  ５４ 脚部、  １００ 浴槽、  １０２ 排水口部、  １０２ａ 排水口、  １０４ リム面、  １０６ 貫通孔、  ２００ 配管、  ２０２ 貫通孔、  ２１１ 第１管部、  ２１２ 第２管部、  ２１４ 雌ねじ部、  ２２０ 載置部、  ２２１ 第１収納空間、  ２２２ 第２収納空間、  ２４０ 洗い場床、  ２４２ 排水トラップ
【図１】
2018048489.tif 000003
【図２】
2018048489.tif 000004
【図３】
2018048489.tif 000005
【図４】
2018048489.tif 000006
【図５】
2018048489.tif 000007
【図６】
2018048489.tif 000008
【図７】
2018048489.tif 000009
【図８】
2018048489.tif 000010
【図９】
2018048489.tif 000011
【図１０】
2018048489.tif 000012
【図１１】
2018048489.tif 000013
【図１２】
2018048489.tif 000014
【図１３】
2018048489.tif 000015
【図１４】
2018048489.tif 000016